(57)【要約】【課題】排泄物により発生した不快臭による不快感を、着用者に与えることを抑制する。【解決手段】本発明に係る吸収性物品１は、液透過性の表面シート１１と、液不透過性の裏面シート１２と、表面シート１１と裏面シート１２との間に配置される吸収体２とを有する吸収性物品１であって、表面シート１１と裏面シート１２との間に、発熱体３Ａ、３Ｂが配置されるように構成されており、発熱体３Ａ、３Ｂは、芳香剤を内包した可溶性のマイクロカプセル６０Ａ、６０Ｂを有する。【選択図】図２
2012075569.tif 000002
【特許請求の範囲】
【請求項１】
液透過性の表面シートと、液不透過性の裏面シートと、前記表面シートと前記裏面シートとの間に配置される吸収体とを有する吸収性物品であって、
前記表面シートと前記裏面シートとの間に、発熱体が配置されるように構成されており、
前記発熱体は、芳香剤を内包した可溶性のマイクロカプセルを有することを特徴とする吸収性物品。
【請求項２】
前記発熱体は、前記表面シートと前記裏面シートとの間で、かつ、前記吸収体が設けられている領域よりも前記吸収性物品の長手方向の外側に配置されていることを特徴とする請求項１に記載の吸収性物品。
【請求項３】
前記吸収体と前記発熱体との間で、前記液透過性の表面シートと前記液不透過性の裏面シートとを接合するシール部が形成されていることを特徴とする請求項２記載の吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、吸収体と表面シート又は裏面シートとの間に発熱体層が設けられている吸収性物品が開示されている。
【０００３】
かかる吸収性物品は、パンティライナーや失禁パッドや生理用ナプキン等であり、体内から排出された経血、尿、汗等の排泄物を吸収するとともに、逆戻りしないように吸収体等に排泄物を保持するように構成されている。
【先行技術文献】
【特許文献】
【０００４】
【特許文献１】ＣＮ１０１２７３９３８Ａ
【発明の概要】
【発明が解決しようとする課題】
【０００５】
しかしながら、出願人は、上述の吸収性物品では、次の問題点があることを発見した。このような吸収性物品が、排泄物を吸収し、その後も着用され続けると、股間等に常在する菌が排泄物中を床として繁殖することから、不快臭が発生しやすくなる。
【０００６】
特に、上述の吸収性物品では、発熱体層が発熱するため、着用者が汗をかきやすいだけでなく、温度の上昇により菌の繁殖が増加する傾向にあるので、特に不快臭が発生しやすい。したがって、上述の吸収性物品では、発生した不快臭により、着用者に不快感を与えやすいという問題があった。
【０００７】
そこで、本発明は、上述の課題に鑑みてなされたものであり、排泄物により発生した不快臭による不快感を着用者に与えることを抑制することのできる吸収性物品を提供することを目的とする。
【課題を解決するための手段】
【０００８】
本発明の第１の特徴は、吸収性物品であって、液透過性の表面シートと、液不透過性の裏面シートと、前記表面シートと前記裏面シートとの間に配置される吸収体とを有する吸収性物品であって、前記表面シートと前記裏面シートとの間に、発熱体が配置されるように構成されており、前記発熱体は、芳香剤を内包した可溶性のマイクロカプセルを有することを要旨とする。
【発明の効果】
【０００９】
以上説明したように、本発明によれば、排泄物により発生した不快臭による不快感を着用者に与えることを抑制する吸収性物品を提供することができる。
【図面の簡単な説明】
【００１０】
【図１】図１は、本発明の第１の実施形態に係る吸収性物品の肌当接面側から見た平面図である。
【図２】図２は、本発明の第１の実施形態に係る吸収性物品の肌当接面側から見た平面図におけるａ-ａ断面図である。
【図３】図３は、本発明の第１の実施形態に係る吸収性物品の発熱体を説明するための図である。
【図４】図４は、本発明の第１の実施形態に係る吸収性物品における発熱体の他の例を説明するための図である。
【図５】図５は、本発明の第１の実施形態に係る吸収性物品が下着に着用された状態を説明するための図である。
【図６】図６は、本発明の第１の実施形態に係る吸収性物品が下着に着用された状態を説明するための図である。
【発明を実施するための形態】
【００１１】
（本発明の第１の実施形態）
図１乃至図３を参照して、本発明の第１の実施形態に係る吸収性物品１について説明する。例えば、本実施形態に係る吸収性物品１は、パンティライナーや失禁パッドや生理用ナプキン等である。
【００１２】
図１に、本発明の第１の実施形態に係る吸収性物品の肌当接面側から見た平面図を示し、図２に、本発明の第１の実施形態に係る吸収性物品の肌当接面側から見た平面図におけるａ-ａ断面図を示す。
【００１３】
図２に示すように、本実施形態に係る吸収性物品１は、液透過性の表面シート１１と、液不透過性の裏面シート１２と、表面シート１１と裏面シート１２との間に配置される吸収体２とを有する。
【００１４】
なお、本実施形態に係る吸収性物品１において、表面シート１１と吸収体２との間に、セカンドシートが配置されていてもよい。
【００１５】
吸収体２は、粉砕パルプ及び高吸収ポリマーと両者を包み込むコアラップとによって構成されている。ここで、高吸収ポリマーは、ポリアクリル酸ナトリウム架橋体の粒状のポリマー、又は、ポリアクリル酸をナトリウムにより部分中和した粒状のポリマーである。
【００１６】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００１７】
また、本実施形態に係る吸収性物品１には、図１に示すように、複数の圧搾溝２１、２２、２３が設けられていてもよい。ここで、圧搾溝２１、２２、２３は、表面シート１１から吸収体２までを圧搾するように構成されている。
【００１８】
また、本実施形態に係る吸収性物品１は、図１に示すように、吸収性物品１の幅方向Ｗの両外側に延出するように形成されている１対のウィング部４１を有していてもよい。さらに、本実施形態に係る吸収性物品１は、吸収性物品１の長手方向Ｌにおいて、ウィング部４１の後方に、１対のヒップフラップ部４２を有していてもよい。
【００１９】
ここで、ウィング部４１及びヒップフラップ部４２では、裏面シート１２の衣服当接面側に、吸収性物品１を下着に固定するための粘着剤が塗布されている。
【００２０】
また、本実施形態に係る吸収性物品１では、図１及び図２に示すように、表面シート１１と裏面シート１２との間で、かつ、吸収体２が設けられている領域よりも吸収性物品１の長手方向Ｌの外側に、発熱体３Ａ、３Ｂが配置されるように構成されている。
【００２１】
また、本実施形態に係る発熱体３Ａ、３Ｂは、図１及び図２に示すように、発熱材５０Ａ、５０Ｂと、発熱材５０Ａ、５０Ｂを包むシート部材８０Ａ、８０Ｂとを有する。
【００２２】
発熱材５０Ａ、５０Ｂを包むシート部材８０Ａ、８０Ｂとしては、通気性を有し、粉末の漏れ出しを防ぐものが好ましく、例えば、透湿性フィルムやメルトブローン不織布等が好適に用いられる。
【００２３】
ここで、図３には、発熱体３Ａの拡大図が示されている。なお、発熱体３Ａ、３Ｂは、同一であるため、以下、発熱体３Ａの構造について説明する。同様に、発熱材５０Ａ、５０Ｂと、シート部材８０Ａ、８０Ｂについても、発熱材５０Ａと、シート部材８０Ａの構造について説明する。
【００２４】
発熱材５０Ａは、公知の使い捨てカイロなどに使用しているものが挙げられ、鉄粉と活性炭と塩化ナトリウム等を含む複合粉末を使用することができる。
【００２５】
また、本実施形態に係る発熱材５０Ａは、この複合粉末の他に、芳香剤を内包した可溶性のマイクロカプセル６０Ａを有する。マイクロカプセル６０Ａには、芳香剤が、マイクロカプセル６０Ａのカプセル膜によって内包されている。なお、芳香剤としては、動物性香料、植物性香料あるいは合成香料を使用できる。
【００２６】
マイクロカプセル６０Ａのカプセル膜は、可溶性であり、例えば、水溶性であることが好ましい。また、カプセル膜は、空気中の水分によって溶解するとともに、崩壊する程度の膜厚であることが好ましい。なお、カプセル膜は、膜厚を異ならせれば、溶解するまでの時間を異ならせることができるため、全体として芳香する期間を持続させることができる。
【００２７】
また、マイクロカプセル６０Ａは、単核カプセルであってもよいし、多核カプセルであってもよい。また、マイクロカプセル６０Ａの形状は、球形であってもよいし、非球形であってもよい。
【００２８】
更に、上述の例では、マイクロカプセル６０Ａが芳香剤を内包する例を挙げたが、マイクロカプセル６０Ａは、消臭剤を内包するように構成されていてもよい。消臭剤としては、脂肪族カルボン酸などを使用できる。
【００２９】
なお、本実施形態に係る吸収性物品１では、マイクロカプセル６０Ａがシート部材８０Ａに配置されていてもよい。ここで、図４には、マイクロカプセル６０Ａがシート部材８０Ａに配置された例が示されている。図４に示すように、発熱体３Ａは、マイクロカプセル６０Ａをシート部材８０Ａに担持するように構成されていてもよい。
【００３０】
また、本実施形態に係る吸収性物品１において、吸収体２が設けられている領域よりも吸収性物品１の長手方向Ｌの前方側及び後方側に、発熱体３Ａ、３Ｂが配置されるように構成されていてもよいし、吸収体２が設けられている領域よりも吸収性物品１の長手方向Ｌの前方側のみに、発熱体３Ａが配置されるように構成されていてもよい。
【００３１】
また、吸収性物品１の周囲は、接着剤やシールで接合されてシール部２４を形成しており、さらに、発熱体３Ａ、３Ｂと吸収体２との間も接着剤やシールで接合され、シール部２５Ａ、２５Ｂを形成している。このシール部２５Ａ及び２５Ｂにより、吸収体２の吸収された排泄物や水分から発生する蒸気が発熱体３Ａ及び３Ｂによって直接暖められることを防止することができる。
【００３２】
また、発熱体３Ａ、３Ｂが設けられている領域では、裏面シート１２の衣服当接面側に、吸収性物品１を下着に固定するための粘着剤が塗布されていてもよい。
【００３３】
図５及び図６に、本実施形態に係る吸収性物品１が下着１００に着用された状態を示す。
【００３４】
着用者は、吸収性物品１を下着１００に着用する際に、ウィング部４１を下着のクロッチに巻き込み、ヒップフラップ部４２を下着１００の上に広げて、吸収性物品１を下着１００に固定する。
【００３５】
発熱体３Ａ、３Ｂは、図５に示すように、本実施形態に係る吸収性物品１が下着１００に着用された状態において、下着１００の内側面に固定されるように構成されていてもよい。
【００３６】
また、発熱体３Ａ、３Ｂは、図６に示すように、本実施形態に係る吸収性物品１が下着１００に着用された状態において、下着１００の外側面に固定されるように構成されていてもよい。
【００３７】
本実施形態に係る吸収性物品１によれば、発熱体３Ａが、芳香剤を内包した可溶性のマイクロカプセル６０Ａを有するので、マイクロカプセル６０Ａのカプセル膜が吸収性物品１を包装から開封した際から溶解し、芳香剤を拡散させることができる。したがって、本実施形態に係る吸収性物品１によれば、芳香剤の拡散によって、排泄物により発生した不快臭による不快感を、着用者に与えることを抑制することができる。
【００３８】
また、発熱体３Ａが、芳香剤を内包した可溶性のマイクロカプセル６０Ａを有するので、発熱体３Ａの発熱によって、芳香剤が拡散されることを促進し、不快臭による不快感を着用者に与えることを、より抑制することができる。
【００３９】
本実施形態に係る吸収性物品１によれば、吸収体２が設けられている領域には、発熱体３Ａ、３Ｂが配置されないように構成されているため、体液を吸収した吸収体を温めることに起因する着用者の肌及び表面シート１１の表面における蒸れを発生させることなく、着用者の子宮を温めて生理痛を低減することができる。
【００４０】
また、本実施形態に係る吸収性物品１によれば、発熱体３Ａ、３Ｂが、吸収性物品１と一体となっているため、着用者は、発熱体３Ａ、３Ｂが温かくなくなってきた場合に、吸収性物品１の取替え時期が来たと気付くことができる。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４２】
１…吸収性物品
２…吸収体
３Ａ、３Ｂ…発熱体
１１…表面シート
１２…裏面シート
２１、２２、２３…圧搾溝
４１…ウィング部
４２…ヒップフラップ部
５０Ａ、５０Ｂ…発熱材
６０Ａ、６０Ｂ…マイクロカプセル
８０Ａ、８０Ｂ…シート部材
【図１】
2012075569.tif 000003
【図２】
2012075569.tif 000004
【図３】
2012075569.tif 000005
【図４】
2012075569.tif 000006
【図５】
2012075569.tif 000007
【図６】
2012075569.tif 000008